(57)【特許請求の範囲】
【請求項１】
鉄筋コンクリート造の建物の袖壁とこれに連なる腰壁との縁を切るために前記袖壁の中に設置される構造スリットの形成方法であって、
床スラブを形成すること、
前記床スラブ上に袖壁を形成するための型枠と腰壁を形成するための型枠とを設置すること、
前記袖壁の型枠に適用されたセパレータ及び前記腰壁の型枠に適用されたセパレータの双方を支持手段としてかつ金具を介して、構造スリット材をその上下両面において前記袖壁の型枠内に水平に支持すること、
その後、前記袖壁の型枠内と前記腰壁の型枠内とにコンクリートを打設することを含む、構造スリットの形成方法。
【発明の詳細な説明】
【技術分野】
【０００１】
本発明は、鉄筋コンクリート造の建物の構築方法、より詳細には前記建物において上下に連なる袖壁及び腰壁間の縁を切るために前記袖壁の内部に水平に設置される構造スリットの形成方法に関する。
【背景技術】
【０００２】
従来、鉄筋コンクリート造の建物の柱の地震時における剪断破壊を防止するため、壁の内部に「構造スリット」と呼ばれる耐震用の建築材料を水平に配置し、これにより柱とこれに連なる壁との縁を切ることが行われている（後記特許文献１）。
【先行技術文献】
【特許文献】
【０００３】
【特許文献１】特開２００２−１８８２１９号公報
【発明の概要】
【発明が解決しようとする課題】
【０００４】
構造スリットは、また、袖壁とこれに連なる腰壁との縁を切るために前記袖壁の中に埋設されることがある。この埋設のため、先に床スラブ上に腰壁が形成され、形成された腰壁上に前記構造スリットが載置され、袖壁が前記構造スリットを含むように前記腰壁上に形成される。
【０００５】
ところで、前記袖壁内への構造スリットの埋設のためには、前記したように、前記構造スリットが載置される腰壁が形成されていることを必要とする。しかし、これには前記腰壁の形成だけのための少量のコンクリートの打設を含む特別な作業を必要とし、このことが、前記鉄筋コンクリート造の建物の建設に要する労力及びコストの増大を招来する。また、先に形成された腰壁と、後に形成された袖壁及び柱との間の打継目において段差が発生し、また、垂直面に一致しない状態が生じ、このために建物の品質が低下しまた美観を損ねることがある。
【０００６】
したがって、本発明の目的は、構造スリットが埋設される袖壁と腰壁とを有する鉄筋コンクリート造の建物の建設に要する労力及びコストの増大を回避することにある。また、本発明の他の目的は、構造スリットが埋設される袖壁と、腰壁とを有する鉄筋コンクリート造の建物の建設に当たりその品質の低下又は美観の毀損を回避することにある。
【課題を解決するための手段】
【０００７】
本発明は、鉄筋コンクリート造の建物の袖壁とこれに連なる腰壁との縁を切るために前記袖壁の中に設置される構造スリットの形成方法に係り、床スラブを形成し、形成された前記床スラブ上に袖壁を形成するための型枠と腰壁を形成するための型枠とを設置し、前記袖壁の型枠に適用されたセパレータ及び前記腰壁の型枠に適用されたセパレータの双方を支持手段としてかつ金具を介して、構造スリット材をその上下両面において前記袖壁の型枠内に水平に支持し、その後、前記袖壁の型枠内と前記腰壁の型枠内とにコンクリートを打設することを含む。
【０００８】
本発明によれば、袖壁の中に埋設される構造スリット材を前記袖壁のための型枠の内部に設置すること、すなわち、袖壁及び腰壁のための両型枠にそれぞれ適用されたセパレータの双方を支持手段としてかつ金具を介して、構造スリット材をその上下両面において前記袖壁の型枠内に水平に支持し、両型枠にコンクリートを打設することから、前記袖壁及び前記腰壁の双方を同時に形成することができ、これにより特別な単独作業による腰壁の形成を不要とすることができる。しかも、前記両型枠の設置の際、併せて、前記建物の他の構造部である柱、上階の床スラブ等を形成するための型枠を設置することができ、また、これらの全型枠へのコンクリートの同時打設が可能である。このことから、前記腰壁は、前記袖壁に加えて、前記柱、上階の床スラブ等との同時形成が可能であり、その結果、構造スリット材が埋設される袖壁及びこれに連なる腰壁を有する建物の建設に要する労力及びコストの増大を回避することができる。また、前記腰壁、袖壁及び柱の同時成形により従来の打継目の発生とこれに伴う建物の品質の低下及び美観の毀損とを回避することができる。
【図面の簡単な説明】
【０００９】
【図１】鉄筋コンクリート造の建物の腰壁、袖壁、並びにこれらの両壁の中に設置された構造スリットの位置を模式的に示す概略的な断面図である。
【図２】本発明に従って袖壁の型枠内に配置された構造スリット材を示す概略的な斜視図である。
【図３】図１の紙背の側から見た前記構造スリット材を示す概略的な断面図である。
【発明を実施するための形態】
【００１０】
図１を参照すると、複数階を有する鉄筋コンクリート造の建物１０が部分的に示されている。各階は複数の柱（ただし、そのうちの１つのみを示す。）１２と、床スラブ１４と、柱１２に連なる袖壁１６と、柱１２及び袖壁１６の双方に連なる腰壁１８とを含む。袖壁１６は上階の床スラブ１４から腰壁１８へと鉛直に伸び、また、腰壁１８は一対の柱１２相互間を水平に伸びている。
【００１１】
建物１０には、図示の例では、柱１２の地震時における剪断破壊を防止するための３種類の構造スリット２０，２２，２４が設けられている。
【００１２】
最初に挙げた構造スリット２０は縦スリットとも称され、袖壁１６の上端面から下端面に向けて上下方向へ伸びる側部と腰壁１８の水平方向における一端においてその上端面からその下端面に向けて上下方向へ伸びる側部との中に形成され鉛直方向へ伸びている。構造スリット２０により、前記一対の柱１２の一方と袖壁１６及び腰壁１８の双方との縁が切られている。また、２番目に挙げた構造スリット２２は同様に縦スリットとも称され、腰壁１８の他端においてその上端面からその下端面に向けて上下方向へ伸びる側部の中に形成され鉛直方向に伸びている。構造スリット２２により、もう一方の柱１２と腰壁１８との縁が切られている。さらに、３番目に挙げた構造スリット２４は横スリットとも称され、袖壁１６の下端部の中に形成されその対向する両側面の一方から他方に向けてその厚さ方向（図１において左右方向）へ水平に伸びている。構造スリット２４により袖壁１６と腰壁１８との縁が切られている。
【００１３】
これらの構造スリットのうち、３番目の横スリット２４についての本発明に係る形成方法を以下に説明する。
【００１４】
図２に示すように、建物１０の建設ために先に床スラブ１４（図３）を形成した後、該床スラブ上に腰壁１８を形成すなわちコンクリート成形するための型枠２８と袖壁１６を形成すなわちコンクリート成形するための型枠２６とを設置する。
【００１５】
図２を参照すると、腰壁１８のための型枠２８を構成する互いに相対する一対の堰板３２のうちの一方と、袖壁１６のための型枠２６を構成する互いに相対する一対の堰板３０のうちの一方とが示されている。また、図３に参照すると、これらの堰板のうちの他方３０，３２がそれぞれ示されている。ここにおいて、袖壁１６の堰板３０は腰板１８の堰板３２の上に支持されている。
【００１６】
型枠２６の両堰板３０及び型枠２８の両堰板３２は、両型枠２６，２８にそれぞれ適用され両堰板３０間を伸びる複数のセパレータ３４及び両堰板３２間を伸びる複数のセパレータ３６により相互間隔を維持されている（図２にはこれらのセパレータのうちの１つ３４，３６を示す。）。符号３５，３７は、各セパレータ３４，３６の両端部を構成するＰコーンを示す。
【００１７】
図３に示すように、型枠２６及び型枠２８の内部、すなわち両堰板３０間の空間及び両堰板３２間の空間には、それぞれ、袖壁１６及び腰壁１８に埋設される所要の補強鉄筋Ａ，Ｂが配置される。
【００１８】
袖壁１６及び腰壁１８のための型枠２６，２８の設置の際、袖壁１６の型枠２６内に例えばポリエチレン製の板状ブロックからなる構造スリット材３８を配置する。構造スリット材３８は、その上下両面において、金具４０を介して袖壁１６の型枠のセパレータ３４と腰壁１８の型枠のセパレータ３６とに水平に支持され、袖壁１６の形成時にその下端面を規定する。
【００１９】
図示の金具４０は、構造スリット材３８をその両側方からそれぞれ厚さ方向に把持可能である一対の把持部材４２と、両把持部材４２に把持された構造スリット材３８をセパレータ３４及びセパレータ３６にそれぞれ支持する一対の支持部材４４とからなる。各支持部材４４は、細長い板状部４４ａと、該板状部に回転可能に取り付けられ板状部４４ａに対して垂直に伸びるねじ部４４ｂと、該ねじ部にその長手方向へ移動可能に螺合されたクリップ部４４ｃとからなる。また、各把持部材４２は、板状部４４ａの各端部を受け入れ可能である溝４６を有する。
【００２０】
支持部材４４の板状部４４ａは、これをねじ部４４ｂの周りに回転させることによりその両端部において両把持部材４２の溝４６に受け入れられ、両把持部材４２と係合する。また、クリップ部４４ｃはこれを貫通する各セパレータ３４，３６を挟持することが可能である。さらに、クリップ部４４ｃをねじ部４４ｂの周りに回転させて該ねじ部に沿って移動させることにより、クリップ部４４ｃと板状部４４ａとの間隔の大きさを調整することができる。したがって、クリップ部４４ｃと板状部４４ａとの間隔の大きさを各セパレータ３４，３６と構造スリット材３８との間隔の大きさに予め設定しておき、構造スリット材３８を把持する両把持部材４２に支持部材４４の板状部４４ａの両端部を係合させ、また、クリップ部４４ｃで各セパレータ３４，３６を挟持することにより、構造スリット材３８を袖壁１６の型枠２６内の所望位置に水平に保持することができる。なお、図示の金具４０にあっては、各把持部材４２は、袖壁１６の下端部に目地（図示せず）を形成するための目地棒４８を保持することができる。なお、金具４０は、図示の例に代えて、他の任意のタイプのものを選択することができる。
【００２１】
金具４０による構造スリット材３８の水平支持は、図示の例に代えて、両セパレータ３４，３６のいずれか一方によるものとすることができる。この場合には、金具４０について、一対の支持部材４４を有する図示の例に代えて、単一の支持部材４４を有するものとし、該単一の支持部材４４を介して、構造スリット材３８をセパレータ３４に水平に吊り下げ又はセパレータ３６の上方位置に水平に置くことができる。
【００２２】
その後、型枠２６，２８内にコンクリート（図示せず）を打設することにより、袖壁１６および腰壁１８が形成され、また、袖壁１６内の前記コンクリート中に構造スリット材３８と金具４０とが埋設され、これにより構造スリット２４が形成される。
【００２３】
ところで、袖壁１６の型枠２６及び腰壁１８の型枠２８の設置の際、併せて、当該階の各柱１２、他の室の腰壁１８（図１）及び上階の床スラブ１４を成形するための型枠（図示せず）を設置することができる。
【００２４】
なお、符号Ｃ及びＤは、それぞれ、柱１２を形成するための型枠５０が規定するコンクリート打設空間内に配置された複数の主筋及びフープ筋を示す。また、符号Ｅは、袖壁１６の型枠２６及び柱１２の型枠５０が共同して規定するコンクリート打設空間に配置され、縦スリット材２０を経て水平に伸びる複数の差し筋を示す。さらに、符号Ｆは、腰壁１８の型枠２８及び柱１２の型枠５０が共同して規定するコンクリート打設空間に配置され、縦スリット材２０を経て水平に伸びる複数の差し筋を示す。
【００２５】
このとき、袖壁１６の型枠２６に適用されたセパレータ３４及び柱１２の型枠５０に適用されるセパレータ５２（図３）と、構造スリット材３８と、金具４０とを介して、縦スリット２０を形成するための構造スリット材（図示せず）をこれが構造スリット材（横スリット材）３８に接するように保持することができる。
【００２６】
同様に、図示を省略するが、腰壁１８の型枠３２に適用されたセパレータ３６及び柱１２の型枠５０に適用されたセパレータ５２と、金具４０とを介して、袖壁１８の前記型枠内に縦スリット２２を形成するための構造スリット材を保持することができる。
【００２７】
これによれば、袖壁１６の型枠２６内及び腰壁１８の型枠２８内のほか、柱１２、他室の腰壁１８及び上階の床スラブ１４を成形するための前記型枠内にコンクリートを一時に打設することができ、これにより当該階の複数の袖壁１６，複数の腰壁１８、複数の柱１２及び上階の床スラブ１４を、構造スリット２０，２２，２４と共に、一時に成形することができる。
【符号の説明】
【００２８】
１０  鉄筋コンクリート造の建物
１２  柱
１４  床スラブ
１６  袖壁
１８  腰壁
２０，２２  縦スリット（構造スリット）
２４  横スリット（構造スリット）
２６，３０  袖壁成形用の型枠及び堰板
２８，３２  腰壁成形用の型枠及び堰板
３４，３６  セパレータ
３８  構造スリット材
４０  金具
【図１】
0005940815.tif 000002
【図２】
0005940815.tif 000003
【図３】
0005940815.tif 000004